(57)【要約】【課題】小型のリールを装着してリールと共に釣竿を握持、保持した際においても、その握り心地が良くグリップ性が向上するリールシートを提供することを目的とする。【解決手段】本発明のリールシート１は、魚釣用リールのリール脚を載置するリール脚載置部１３と、リール脚載置部１３の裏側に形成され、指を掛けることを可能にするトリガー２２とを備えた本体１０を有している。本体１０は、先端側の所定位置から先端縁に向けて次第に膨出する曲面で形成された指受け面３０を備えており、指受け面３０は、平面視した際の両側の膨出開始Ｐ３よりも側面視した際の下側の膨出開始位置Ｐ３が先端縁側にあり、平面視した際の膨出高さが側面視した際の膨出高さ以上であることを特徴とする。【選択図】  図１
2018161061.tif 000002
【特許請求の範囲】
【請求項１】
魚釣用リールのリール脚を載置するリール脚載置部と、前記リール脚載置部の裏側に形成され、指を掛けることを可能にするトリガーとを備えた本体を有し、釣竿に固定されるリールシートであって、
前記本体は、先端側の所定位置から先端縁に向けて次第に膨出する曲面で形成された指受け面を備えており、
前記指受け面は、平面視した際の両側の膨出開始よりも側面視した際の下側の膨出開始位置が先端縁側にあり、平面視した際の膨出高さが側面視した際の膨出高さ以上であることを特徴とするリールシート。
【請求項２】
前記指受け面は、平面視した際の両側の膨出高さ、及び、側面視した際の下側の膨出高さが５ｍｍ以上であることを特徴とする請求項１に記載のリールシート。
【請求項３】
前記指受け面は、平面視した際の両側の膨出部の軸方向長さが１５ｍｍ〜２５ｍｍの範囲に設定されることを特徴とする請求項１又は２に記載のリールシート。
【請求項４】
前記本体は、先端縁と前記トリガーの先端との間の軸方向距離が、５０ｍｍ〜５５ｍｍの範囲となるように形成されていることを特徴とする請求項１から３のいずれか１項に記載のリールシート。
【請求項５】
前記指受け面は、平面視した際の両側の膨出の傾斜状態、及び、側面視した際の下面の膨出の傾斜状態の少なくとも一方が、凹状に窪んでいることを特徴とする請求項１から４のいずれか１項に記載のリールシート。
【発明の詳細な説明】
【技術分野】
【０００１】
本発明は、釣竿にリールを固定、保持するためのリールシートに関し、詳細には、釣竿と共にリール本体を把持した際のグリップ性を向上したリールシートに関する。
【背景技術】
【０００２】
従来、リールを使用する釣竿には、リールシートが固定されており、例えば、船竿、ルアーロッドでは、片手でリール本体と釣竿を握り込みつつ、キャスティング操作や釣糸巻き取り操作が容易に行えるリールシートが固定されている。例えば、特許文献１に開示されているように、リールシートのリール脚載置面と反対側となる裏側にトリガーを設けておき、このトリガーを小指と薬指で挟持したり、薬指と中指で挟持することで、リール本体と共に釣竿を握り込んだ状態で各種の操作を容易にできるようにしている。
【０００３】
また、前記リールシート前方の裏側には、人差し指の腹部が当て付けられるように、湾曲面が形成されている。この湾曲面は、軸方向視で略１８０°の範囲に亘って形成されており、その下面領域は、前方側に移行するにしたがって次第に拡径するように形成されている。具体的に、湾曲面は、平面視では両側の面が略軸方向に沿うような形状であり、側面視では前方に移行するにしたがって徐々に拡径する傾斜形状となっている。このため、リール本体と共に釣竿を握り込むと、その人差し指の第１関節から第２関節の腹部領域を違和感なく当て付けることが可能となる。
【先行技術文献】
【特許文献】
【０００４】
【特許文献１】意匠第１３４８６９７号
【発明の概要】
【発明が解決しようとする課題】
【０００５】
ところで、最近では、釣竿の軽量化に加え、それに装着されるリール（両軸受型リール）も小型化したものが使用されるようになっている。釣竿に装着されるリールが小型化すると、上記のような状態で握り込む位置は、多少、前方（穂先側）にシフトする傾向になる。したがって、リールシートとしては、裏面側に形成されたトリガーを小指と薬指で挟持でき、かつ、この状態でしっかりと握り込めるように構成することが望ましい。
【０００６】
しかしながら、上記した公報に開示されているような従来のリールシートは、装着されるリールが小型化した際に、望ましい握持、保持態様になることを考慮した構造になっていないため、実際に小型のリールをリールシートに取り付けると、前方領域（湾曲面が形成された領域）で当て付く指がしっくりせずに、その指の腹部が湾曲面の表面から浮いたり軸方向に変位し易く（滑り易く）なり、グリップ性が劣ったり握り心地が悪くなるという問題が生じる。すなわち、上記した公報に開示されているトリガー付きのリールシートをはじめ、従来のリールシートは、小型のリールを装着して釣竿と共にリール本体を握り込んだ状態で、中指や人差し指の腹部を安定して接触させてグリップ性を高めるという発想はない。
【０００７】
本発明は、上記した問題に着目してなされたものであり、小型のリールを装着してリールと共に釣竿を握持、保持した際においても、その握り心地が良くグリップ性が向上するリールシートを提供することを目的とする。
【課題を解決するための手段】
【０００８】
上記した目的を達成するために、本発明に係る釣竿に固定されるリールシートは、魚釣用リールのリール脚を載置するリール脚載置部と、前記リール脚載置部の裏側に形成され、指を掛けることを可能にするトリガーとを備えた本体を有し、前記本体は、先端側の所定位置から先端縁に向けて次第に膨出する曲面で形成された指受け面を備えており、前記指受け面は、平面視した際の両側の膨出開始よりも側面視した際の下側の膨出開始位置が先端縁側にあり、平面視した際の膨出高さが側面視した際の膨出高さ以上であることを特徴とする。
【０００９】
上記した構成のリールシートでは、リールを釣竿と共に握持、保持した際、その中指（場合によっては人差し指）の第１関節から第２関節に亘る範囲内の腹部、特に、親指側の腹部領域が、前記先端縁に向けて次第に膨出する曲面で形成された指受け面に当接する。この当接状態において、指受け面は、平面視した際の両側の膨出開始位置よりも側面視した際の下側の膨出開始位置が先端縁側にあるため、下面側の膨出状態は側面側の膨出状態よりも急激に立ち上がる態様となり、握持、保持した際に、下面側に当接する中指（又は人差し指）の腹部がしっかりと当て付いて前方側へ滑ることを効果的に防止することが可能となる。また、平面視した際の膨出高さが、側面視した際の膨出高さ以上に形成されることで、握持した際の中指（又は人差し指）の腹部が両側面側で前方に抜け難くなり、これにより両側面側での密着感が良くなって、グリップ性も向上する。
【発明の効果】
【００１０】
本発明のリールシートによれば、小型のリールを装着してリールと共に釣竿を握持、保持した際、その握り心地が良くグリップ性の向上が図れるようになる。
【図面の簡単な説明】
【００１１】
【図１】本発明に係るリールシートの一実施形態を示す側面図。
【図２】図１に示すリールシートの平面図。
【図３】図１に示すリールシートの裏面図。
【図４】図１のＡ−Ａ線に沿った断面図。
【図５】リールとともに釣竿（リールシート）を把持、保持した状態を示す側面図。
【図６】リールとともに釣竿（リールシート）を把持、保持した状態を示す裏面図。
【図７】リールとともに釣竿（リールシート）を把持、保持した状態を示す正面図。
【発明を実施するための形態】
【００１２】
以下、本発明に係るリールシートの実施形態について、添付図面を参照しながら具体的に説明する。
図１から図４は、本発明に係るリールシートの一実施形態の構成を示す図であり、図１は側面図、図２は平面図、図３は裏面図、図４は図１のＡ−Ａ線に沿った断面図である。また、図５から図７は、リールとともに釣竿（リールシート）を把持、保持した使用状態を示す図であり、図５は側面図、図６は裏面図、そして、図７は正面図である。
【００１３】
本発明に係るリールシート１は、図示されていない釣竿の基端側の竿杆７０の外周面に接着等によって固定され、例えば、ナイロン、ＡＢＳ等の硬質合成樹脂部材によって一体形成された本体１０を備えている。前記本体１０には、前方側（穂先側）及び後方側（竿尻側）に、それぞれ同軸上に円筒部１１，１２が形成されると共に、両円筒部の中間にリール８０の脚部が載置されるリール脚載置部１３が形成されている。前記本体１０には、リール脚載置部１３の下方に、軸方向に貫通する断面円形の貫通孔１５が形成されており、この貫通孔１５は、前記円筒部１１，１２を貫いて直線状に延在し、この部分に釣竿を構成する竿杆７０が嵌入され、接着剤等によって固定されるようになっている。
【００１４】
前記リール脚載置部１３の前後には、載置されたリール８０のリール脚を締め付け、固定するためのフード部が設けられている。本実施形態では、前方側が回転操作式の移動フード、後方側が固定フードとなっており、図１及び図２に示すように、後方側の固定フード１７はリール脚を受け入れる開口１７ａを具備し前記本体１０と共に一体形成されている。また、前方側の移動フードは、リールの固定機能に加え、前記円筒部１１の外面に形成された雄ネジ部１１ａに螺入され、後述するような握持、保持状態において、人差し指の腹部が当接可能な円筒状の筒部１９（図５〜図７参照）として構成される。
【００１５】
前記筒部（移動フードとも称する）１９は、断面円形の開口を具備しており、雄ネジ部１１ａに沿って後方側に締め付けていくと、その内周面とリール脚載置部１３の前端部１３ａの表面との間にリール脚が嵌まり込む隙間を形成する。すなわち、リール脚の後方側を固定フード１７の開口１７ａに嵌入した状態において、筒部１９を雄ネジ部１１ａに沿って締め付けていくと、リール脚の前方側は、前端部１３ａと筒部１９の内周面との間で締め付けられ、リール脚は、両フード１７，１９間で締め付け固定される。そして、筒部１９を反対方向に回転操作することでリール８０を取り外すことが可能となる。
【００１６】
前記筒部１９の外周面は、後述するように、リール８０と共に竿杆７０（リールシート１）を握持、保持した際に、人差し指の腹部が当て付く部位であることから、ウレタン樹脂、熱可塑性エラストマー、コルク、ウレタン系の発泡性部材等、柔軟性のある部材１９Ａを被着しておくことが好ましい。また、固定フード１７の後方側の円筒部１２にも、同様な柔軟性のある部材１８Ａを被着したグリップ部１８を配設することが好ましい。
【００１７】
リールシートの本体１０には、移動フード１９を締め付けた際に、その開口縁と当て付いて移動フードの後方側への移動を規制する当接部（指受け面の先端縁）２０が形成されている。この当接部２０は、移動フード１９との間の境界を規定しており、当接部２０に当接した移動フード１９の表面とリールシート１の本体１０の表面は略面一状になるように構成されている。
【００１８】
ここで、リールシートの本体１０のリール脚載置部１３の下方側の表面形状について説明する。
本体１０は、図４に示すように、断面略Ｕ字状に形成されており、平坦状となったリール脚載置部１３の反対側には、トリガー（指掛け部）２２が下方に向けて膨出するように一体形成されている。このトリガー２２は、釣人が片手でリール８０と共に竿杆７０（リールシート１）を握持、保持した際、握り込んでいる指の指ずれを防止して、キャスティング時など釣竿を滑らせないようにする機能を果たす。具体的に、トリガー２２は、基端から先端に移行するに連れて前方に傾斜するような形状を備えており、本実施形態では、主に前方側の面２２ａに薬指Ｆ４を当て付け、後方側の面２２ｂに小指Ｆ５を当て付け、この状態で握り込むことを想定して形成されている（図５から図７参照）。
【００１９】
すなわち、装着されるリール８０が、図５から図７に示すように小型の場合、親指Ｆ１の付け根領域から先端側の腹部でリール本体のサムレスト部分を含んだ上面領域を押え付ける（深く握り込む）ことから、握り込む手の各指の位置は全体的に前方側にシフトする傾向となる。本実施形態では、このような小型のリール８０の大きさを考慮して、トリガー２２を薬指Ｆ４と小指Ｆ５で挟持できるような位置に形成して握持、保持性を高めている。具体的には、本体１０は、前記当接部（先端縁）２０とトリガー２２の先端Ｐ１との間の軸方向距離Ｌ１が５０ｍｍ〜５５ｍｍ、好ましくは５２〜５４ｍｍとなるように形成されている。このように、軸方向距離Ｌ１が上記した範囲にあれば、一般的な手の大きさを有する釣人がリール８０と共に竿杆７０（リールシート１）を握り込んだ際、トリガー２２を薬指Ｆ４と小指Ｆ５で挟持した状態で、中指Ｆ３を後述する指受け面３０に当て付けるとともに、人差し指Ｆ２の腹部を柔軟性のある部材が被着された移動フード１９に当て付けることが可能となる。
【００２０】
前記トリガー２２の表面、特に前方側の面２２ａ、及び、後方側の面２２ｂは、それぞれ当接する薬指Ｆ４と小指Ｆ５に違和感を生じないように、断面が湾曲状となるように形成しておくことが好ましい。なお、トリガー２２については、釣り人の好みや装着されるリールの大きさ等によって、中指Ｆ３と薬指Ｆ４で挟持することもあり得る。
【００２１】
前記本体１０の中間部分の両側面には、略楕円形状の開口２５が形成されている。この開口２５は、全体として軽量化を図るように形成されるものであり、前記貫通孔１５を露出させている。このため、竿杆７０を貫通孔１５に挿入すると、竿杆７０の外表面が開口２５を通じて視認することが可能となる。なお、このような開口２５の形状は特に限定されることはなく、開口については形成しない構成であっても良い。
【００２２】
また、前記本体１０の前方側には、先端側の所定位置から、先端縁に向けて次第に膨出する曲面（傾斜面）で形成された指受け面３０が設けられている。ここで、所定位置とは、本体表面を軸方向の前方側に見た際に、その表面が膨らみ始める変曲点となる位置を意味しており、リールを竿杆（リールシート）と共に握持、保持した際に、中指Ｆ３の第１関節から第２関節に亘る範囲内の腹部（主に親指側の腹部領域）が当接する部分となる。すなわち、表面が、このような位置から先端縁に向けて次第に膨出（好ましくは曲面状（傾斜状）に膨出する）すると、図５から図７に示すように、中指Ｆ３の第１関節から第２関節に亘る範囲内の腹部の親指側が前方に向けて規制される状態で当接するようになり、これが握り心地や操作性（グリップ性）に影響を及ぼすこととなる。
【００２３】
本発明では、指受け面３０は、平面視した際の両側で膨出する傾斜面３０ａの膨出開始位置Ｐ２よりも、側面視した際の下側で膨出する傾斜面３０ｂの膨出開始位置Ｐ３が先端縁２０側にあるように形成されている。すなわち、先端縁２０と、膨出する傾斜面３０ａを規定する膨出開始位置Ｐ２との間の軸方向長さＬ２よりも、先端縁２０と、膨出する傾斜面３０ｂを規定する膨出開始位置Ｐ３との間の軸方向長さＬ３の方が短くなるように形成されている。この場合、両側面から下面に至る領域の表面形状については特に限定されることはないが、滑らかな面（湾曲面）で両者が連続した状態になっていることが好ましい。
【００２４】
また、上記した傾斜面３０ａ，３０ｂについては、平面視した際の傾斜面３０ａの膨出高さＨ２（図３参照）が、側面視した際の傾斜面３０ｂの膨出高さＨ３（図１参照）以上となるように形成されている。すなわち、指受け面３０を構成する両サイドの面（傾斜面３０ａ）と、下側の面（傾斜面３０ｂ）は、傾斜面３０ａの傾斜状態が緩く高く形成されているのに対し、傾斜面３０ｂの傾斜状態はそれよりも急で低くなるように形成されている。
【００２５】
指受け面３０が上記したように構成されると、リールを釣竿（リールシート）と共に握持、保持した際、その中指Ｆ３（場合によっては人差し指）の第１関節から第２関節に亘る範囲内の腹部、特に、親指側の腹部領域が、前記先端縁に向けて次第に膨出する曲面（傾斜面）で形成された指受け面３０に、前方への移動が規制された状態で当接する。この当接状態において、指受け面３０は、両サイドの膨出開始位置Ｐ２よりも下側の膨出開始位置Ｐ３が先端縁２０側にあるため、下面側の膨出状態は側面側の膨出状態よりも急激に立ち上がる傾向となり、したがって、握持、保持した際に、下面側に当接する中指Ｆ３（又は人差し指）の腹部が急激に立ち上がる面にしっかりと当て付いて前方側へ滑ることが効果的に防止される。
【００２６】
また、平面視した際の膨出高さＨ２が、側面視した際の膨出高さＨ３以上に形成されることで、握持した際の中指Ｆ３（又は人差し指）の腹部が両側面側で前方に抜け難くなり、これにより両側面側での密着感が良くなって、グリップ性の向上が図れる。すなわち、指受け面３０に当て付く中指Ｆ３は、その腹部がしっくりと密着することができ、下面（傾斜面３０ｂ）側では、握り込んだ状態の中指Ｆ３の腹部が軸方向前方側に大きな抵抗を受けることから、中指全体として、両面側では中指が表面から浮くことはなく、下面側では前方にシフトし難くなって、結果として、握持、保持した際の握り心地が良くなってグリップ性の向上が図れるようになる。さらに、釣竿を横に向けたり、シェークする等の操作を行なっても、トリガー領域から指受け面３０の領域まで安定した状態で握り込むことができるため、そのような動作を安定して行うことができる。
【００２７】
具体的に、上記した構成では、Ｌ２（先端縁２０と傾斜面３０ａを規定する膨出開始位置Ｐ２の軸方向長さ）は、１７．５ｍｍとなるように形成されており、その傾斜面３０ａの高低差（膨出高さ）Ｈ２は、６．９ｍｍとなるように形成されている。また、Ｌ３（先端縁２０と傾斜面３０ｂを規定する膨出開始位置Ｐ３の軸方向長さ）は、１４．７ｍｍとなるように形成されており、その傾斜面３０ｂの高低差（膨出高さ）Ｈ３は、５．２ｍｍとなるように形成されている。
【００２８】
一般的に、大人の中指の腹部の幅は殆ど２０ｍｍ前後（１５ｍｍ〜２５ｍｍの範囲であればほぼカバーされる）である。平面視において、指受け面３０の両側の側面（傾斜面３０ａ）は、中指の腹部を当て付けて両側から挟み込むようにして握持することから、平面視における傾斜面３０ａの長さＬ２は、１５ｍｍ〜２５ｍｍの範囲にあれば良い。すなわち、このＬ２の長さが長すぎる（緩い傾斜面になった状態）と、しっかりと挟み込むことができず、滑り易くなってしまい、逆に短すぎると、腹部との間で隙間が生じ易くなって、保持した際のグリップ感が低下してしまう（腹部の密着感が劣る）ことから、本実施形態では１７．５ｍｍに設定されている。
【００２９】
また、側面視した際の下側の傾斜面３０ｂの長さＬ３については、両側の傾斜面３０ａとの密着感・一体感、及び、握持状態にある中指の腹部が前方へ滑り難いように、傾斜面３０ａよりも急に立ち上がるように（傾斜面３０ａの膨出開始位置Ｐ２よりも、傾斜面３０ｂの膨出開始位置Ｐ３が先端縁側にあるように）形成するのが良く、具体的には、Ｌ２の長さ１７．５ｍｍよりも短い１４．７ｍｍに設定されている。この場合、あまり短すぎると、腹部の当たりが強くなることから、１０ｍｍ以上確保されていることが好ましい。
【００３０】
また、上記した傾斜面３０ａ，３０ｂの高低差（高さ）については、いずれも５ｍｍ以上確保されていることが好ましい。すなわち、その高さが５ｍｍ以上あれば、側面及び下面において、当接した中指（人差し指）の腹部が先端縁２０から前方に抜けないようにすることが可能となる。ただし、あまり高すぎると、引っ掛かりが強くなってグリップ性が劣るため、１０ｍｍ以下に設定しておくことが好ましい。
【００３１】
また、傾斜面３０ａの高さＨ２を、傾斜面３０ｂの高さＨ３以上に設定することで、中指（人差し指）の腹部で挟み込む部分の両側面側が、下面側よりも前方に抜け難くなることから、密着状態が良くなり、グリップ感の向上が図れる。
【００３２】
上記した構成において、指受け面３０の傾斜面３０ａ，３０ｂについては、図に示すように、略直線状に次第に膨出するように形成しても良いが、少なくともいずれか一方を凹状に窪んだ状態で膨出させても良い。例えば、図３の点線で示すように、傾斜面３０ａを凹状に窪ませたり（符号３０ａ´で示す）、図１の点線で示すように、傾斜面３０ｂを凹状に窪ませても良い（符号３０ｂ´で示す）。
このように、指受け面の両側面及び下面を内側にえぐるように湾曲形成することで、指当たりが良くなり、握持、保持性を向上することができる。
【００３３】
また、傾斜面３０ａ，３０ｂの傾斜状態については、先端側に移行するに従って急傾斜に変化させても良い。
このように構成することで、当接した指の前方への滑りを効果的に抑制することが可能となる。
【００３４】
以上、本発明の実施形態について説明したが、本発明は、上述した実施形態に限定されることは無く種々変形することが可能である。上記したリールシート１については、指受け面３０以外の構成部分（トリガーの形状や大きさ、表面の凹凸形状など）については、図に示した形状に限定されることはなく種々変形することが可能である。また、リール脚を固定するフード部については、後方側を移動フードで構成しても良い。さらに、指受け面３０については、平面視した際の両側面側の膨出の傾斜状態が、側面視した際の下面側の膨出の傾斜状態に比べて緩くなっていれば良く、全体的な表面形状については、適宜変形することが可能である。
【符号の説明】
【００３５】
１  リールシート
１０  本体
１３  リール脚載置部
３０  指受け面
３０ａ，３０ｂ  傾斜面
７０  竿杆
８０  リール
【図１】
2018161061.tif 000003
【図２】
2018161061.tif 000004
【図３】
2018161061.tif 000005
【図４】
2018161061.tif 000006
【図５】
2018161061.tif 000007
【図６】
2018161061.tif 000008
【図７】
2018161061.tif 000009